(57)【要約】【課題】集積容量の異なる紙幣回収カセットを交換して取り付けることが可能な紙幣取扱装置を提供する。【解決手段】紙幣集積ステージ４０は集積空間の外側に突出する突起部４０ａを有し、突起部４０ａが突出する側のカセット内壁４３および外壁４５と、その側に対向するカセット内壁４３および外壁４５とに残留検知センサ１２の光を通過させる透孔５０ａ、５０ｂを設け、紙幣集積ステージ４０がホームポジションにあるとき突起部４０ａに支持される遮光板４４と、透孔５０ｂの近傍に位置する係止部５２とを配し、紙幣集積ステージ４０がホームポジションにあるとき突起部４０ａによって遮光板４４を透孔５０ｂよりも上方に持ち上げ、紙幣集積ステージ４０が下降したとき遮光板４４を係止部５２で支持される位置まで下降して透孔５０ｂを塞ぐことを特徴とする。【選択図】図４
2010287134.tif 000002
【特許請求の範囲】
【請求項１】
スプリングによって押し上げられ紙幣の集積量に応じて徐々に下降するステージを有する着脱可能な紙幣回収カセットと、該紙幣回収カセット内の紙幣の残留を検知する光学式のセンサとを備える紙幣取扱装置であって、
前記ステージは、紙幣が集積していないときに前記センサの光が当たる箇所がその光を透過させる構造で、かつ紙幣を集積する集積空間の外側に突出する突起部を有し、
前記紙幣回収カセットの前記突起部が突出する側の壁と、その壁に前記ステージを挟んで対向する壁とに前記センサからの光を通過させる透孔を設け、
前記ステージに紙幣が集積していないときの前記突起部に支持される上下動可能な遮光板と、該遮光板の下方に位置する係止部とを配し、
前記ステージに紙幣を集積していないとき、前記突起部によって前記遮光板が前記透孔を通過する光を遮らない位置に持ち上げ、紙幣の集積により前記ステージが下降したとき、前記遮光板を前記係止部で支持される位置まで下降して前記透孔を塞ぐことを特徴とする紙幣取扱装置。
【請求項２】
請求項１に記載の紙幣取扱装置において、
前記紙幣回収カセットの前記突起部が突出する側の壁と、その壁に前記ステージを挟んで対向する壁とに前記センサからの光を通過させる透孔の内、前記突起部が突出する側の壁に設けた透孔は紙幣が集積していないときの前記ステージよりも下方で、もう１つの透孔は紙幣が集積していないときの前記ステージよりも上方となるように位置させ、
前記係止部は、前記遮光板の下方でかつ前記透孔の近傍に配し、
前記ステージに紙幣を集積していないとき、前記突起部によって前記遮光板を前記透孔よりも上方に持ち上げ、紙幣の集積により前記ステージが下降したとき、前記遮光板を前記係止部で支持される位置まで下降して前記透孔を塞ぐことを特徴とする紙幣取扱装置。
【発明の詳細な説明】
【技術分野】
【０００１】
本発明は、スーパーマーケットやコンビニエンスストア等の店舗のレジにおいて使用されるＰＯＳレジスタに接続する自動釣銭機に内蔵された紙幣取扱装置に関し、特に１種類の残留検知センサで、容量の異なる様々な紙幣回収カセット内の紙幣の残留を検知するための方法に関する。
【背景技術】
【０００２】
一般的に、店舗の係員が自動釣銭機内の紙幣を回収するときには、金種別の紙幣収納庫から着脱式の紙幣回収カセットに紙幣を移動させ、紙幣回収カセットを取り外すことで、紙幣を回収するようにしている。
【０００３】
従来の紙幣取扱装置の紙幣回収カセットは、集積する紙幣の重量によって下降するステージの上方と下方に残留センサの発光部と受光部とを配し、残留センサの光軸がステージを貫くようにし、ステージ上に紙幣があるときは光軸が紙幣によって遮られたときに、残留センサはステージ上に紙幣が有ることを検知している（例えば、特許文献１参照。）。
【先行技術文献】
【特許文献】
【０００４】
【特許文献１】特開２００７−２３０７４１号公報（段落「００２２」、図１）
【発明の開示】
【発明が解決しようとする課題】
【０００５】
しかしながら、上述した従来の技術においては、残留センサの光軸をステージ上の紙幣が直接遮る方式では、ステージの可動範囲に合わせてステージの上方と下方とに配する発光部と受光部の位置を変える必要があり、紙幣回収カセットを装着させるときは、その紙幣回収カセットの容量等に合わせた残留検知センサを有する自動釣銭機が必要となり、自動釣銭機ごとに使用できる紙幣回収カセットの種類が限られてしまい、様々な種類の紙幣回収カセットを利用する店舗ではその紙幣回収カセットの種類の数だけ紙幣取扱装置を用意しなくてはならないためにコストが高くなってしまうという問題がある。
【０００６】
本発明は、上記の問題点を解決するための手段を提供することを目的とする。
【課題を解決するための手段】
【０００７】
本発明は、上記課題を解決するために、スプリングによって押し上げられ紙幣の集積量に応じて徐々に下降するステージを有する着脱可能な紙幣回収カセットと、該紙幣回収カセット内の紙幣の残留を検知する光学式のセンサとを備える紙幣取扱装置であって、前記ステージは、紙幣が集積していないときに前記センサの光が当たる箇所がその光を透過させる構造で、かつ紙幣を集積する集積空間の外側に突出する突起部を有し、前記紙幣回収カセットの前記突起部が突出する側の壁と、その壁に前記ステージを挟んで対向する壁とに前記センサからの光を通過させる透孔を設け、前記ステージに紙幣が集積していないときの前記突起部に支持される上下動可能な遮光板と、該遮光板の下方に位置する係止部とを配し、前記ステージに紙幣を集積していないとき、前記突起部によって前記遮光板が前記透孔を通過する光を遮らない位置に持ち上げ、紙幣の集積により前記ステージが下降したとき、前記遮光板を前記係止部で支持される位置まで下降して前記透孔を塞ぐことを特徴とする。
【発明の効果】
【０００８】
これにより、本発明は、ステージが下降したときに遮光板が透孔を塞ぐ位置に下降することで、残留検知センサでの紙幣の残留を検知することができることから、残留検知センサの位置を紙幣回収カセットに集積される紙幣の集積量に左右されることなく決定できる。このため、紙幣の集積容量が異なる複数の仕様の紙幣回収カセットに自動釣銭機を対応させる場合においても、紙幣回収カセットの種類に応じて残留検知センサ及び基板等を複数箇所に配置する必要がなくなり、自動釣銭機の製造上のコストを抑えることができるという効果が得られる。また、利用者は一種類の自動釣銭機を導入することで複数の紙幣回収カセットを使用することができるので装置の導入コストを抑制することができる。
【図面の簡単な説明】
【０００９】
【図１】実施例１の紙幣取扱装置を内蔵する自動釣銭機を示す外観斜視図
【図２】紙幣入出金部の各部の配置を示す概略図
【図３】実施例１の自動釣銭機を示すブロック図
【図４】紙幣回収カセットの内部を示す概略構成図
【図５】紙幣集積ステージおよび遮光板の配置を示す説明図
【図６】遮光板が回動した様子を示す説明図
【図７】透孔を通過する光の高さより紙幣上面の方が低いときの様子を示す説明図
【発明を実施するための最良の形態】
【００１０】
以下に、図面を参照して本発明による紙幣取扱装置の実施例について説明する。
【実施例１】
【００１１】
図１は実施例１の紙幣取扱装置を内蔵する自動釣銭機を示す外観斜視図である。
【００１２】
図１において、１は自動釣銭機であり、紙幣および硬貨の入出金処理を行うものである。
【００１３】
この自動釣銭機１はＰＯＳレジスタ１５と相互に通信可能に接続されていて、ＰＯＳレジスタ１５によって紙幣および硬貨の入出金管理が行なわれる。
【００１４】
また、自動釣銭機１は、硬貨の入出金を行うための硬貨入出金部２と、紙幣の入出金を行うための紙幣取扱装置としての紙幣入出金部３とによって構成されている。
【００１５】
４は硬貨入金口であり、入金する硬貨を投入する入金口である。この硬貨入金口４から硬貨を投入するとその硬貨は硬貨入出金部２内に引き込まれて金種別に振り分けて図示しない硬貨収納庫に収納される。
【００１６】
５は硬貨出金口であり、出金する硬貨を蓄積する出金口である。硬貨の釣銭が必要なときは硬貨入出金部２内に収納された硬貨をこの硬貨出金口５に払い出す。
【００１７】
６は硬貨リジェクト口であり、硬貨入金口４に投入された硬貨を硬貨入出金部２内に引き込み鑑別した結果、１円、５円、１０円、５０円、１００円、５００円硬貨のいずれでもないと判断したリジェクト硬貨を返却する返却口である。
【００１８】
ここで、図２は紙幣入出金部の各部の配置を示す概略図であり、（ａ）は正面側から見た配置、（ｂ）は側方から見た配置を示している。
【００１９】
８は紙幣入出金口であり、入金する紙幣を投入する紙幣投入口および出金する紙幣を蓄積する出金口である。この紙幣入出金口８に投入された紙幣は紙幣入出金部３内に引き込まれ、図２（ｂ）に示す紙幣の金種の正損等を鑑別する紙幣鑑別部９で鑑別され、鑑別された紙幣は金種別に振り分けられて紙幣収納庫１０ａ、１０ｂに収納される。
【００２０】
１１は紙幣回収カセットであり、紙幣入出金部３内の紙幣収納庫１０ａ、１０ｂに収納した紙幣を一括して回収する場合や出金時に異常な紙幣を検出した場合にその紙幣を収納するカセットである。
【００２１】
図２（ａ）において、１２は残留検知センサであり、斜めに対向して配された発光部と受光部とからなる光学式のセンサであって、図２（ａ）に示すように発光部と受光部は光軸が紙幣回収カセット１１内を斜め方向に横断するように、紙幣回収カセット１１を挟み左右両側で、かつ互いの高さの位置をずらして配されている。また図２（ａ）に示す方向から見たときの前後方向にも光軸が横断する、つまり図２（ｂ）に示す側方から見た紙幣回収カセット１１の左右方向に光軸が横断するように発光部と受光部が配置されているものとする。
【００２２】
そのため、紙幣回収カセット１１の壁には光軸を通過させるための透孔が設けられ、その透孔が設けられる箇所は、後述するステージ４０の突起部４０ａが突出している壁と、その突起部４０ａが突出している壁とステージ４０を挟んで対向する壁であり、この両壁に設けた２つの透孔を残留検知センサ１２の光軸を通ることで、紙幣回収カセット１１内を光軸が通過する。なお透孔のより詳細な配置は後述する。
【００２３】
１３は表示操作部であり、液晶ディスプレイ等の表示部とその表示部上に配されたタッチパネル等の操作部とからなり、自動釣銭機１への現金補充に関する操作者への操作案内を表示する他、操作者による入力操作等を受け付ける。
【００２４】
ＰＯＳレジスタ１５は、商品に付されているバーコードから商品の金額を読取る図示しないバーコード読取部を備えると共に、表示画面とその上に配されたタッチパネルからなるレジスタ表示操作部１６を備えており、表示画面に顧客が購入する商品の総額等やバーコードの付されていない商品の金額を入力するためのテンキー等の入力キーを表示し、その入力キーをタッチパネル上から押下することで入力キーに定義された情報を入力できるものとなっている。
【００２５】
１７はレシート印字部であり、顧客が購入した商品の総額や顧客から預かった現金金額および顧客に支払う釣銭等を印字したレシートを発行する機能を有する。
【００２６】
図３は実施例１の自動釣銭機を示すブロック図である。
【００２７】
図３において、２０は制御部であり、記憶部２１に格納された制御プログラムに従って自動釣銭機１の各部を制御して各種処理を遂行すると共に、通信部２３によりＰＯＳレジスタ１５と通信可能に接続する。
【００２８】
２１は記憶部であり、制御プログラムを格納する他、制御部２０による処理結果を記憶する。
【００２９】
２２は紙幣入出金部３の抜き取り検知センサであり、例えば光学式のセンサ等によって構成され、紙幣入出金口８に出金した紙幣の抜き取りを検知する検知手段として機能する。
【００３０】
図４は紙幣回収カセットの内部を示す概略構成図であり、（ａ）は正面図、（ｂ）は図４（ａ）の正面図の右側からみた側面図、図５は紙幣集積ステージおよび遮光板の配置を示す説明図であり、（ａ）は上面図、（ｂ）は側面図である。
【００３１】
図４において、４０は上面に紙幣を集積するための紙幣集積ステージであり、下方からスプリング４１による押圧力が作用することで、ホームポジション（基準位置）まで押し上げられた状態となっている。
なお、上述した残留検知センサ１２は紙幣の残留を検知することからホームポジションに位置しているときの光軸は、紙幣集積ステージ４０を通るように延びるため、紙幣集積ステージ４０にはその光軸を通過させるために一部に開口が設けられている。
【００３２】
４３はカセット内壁であり、紙幣集積ステージ４０とスプリング４１の周囲を囲む壁であって、上側の一部には搬送されてくる紙幣を内部の紙幣集積ステージ４０上に集積するための開口が設けられている。
【００３３】
４４は遮光板であり、図４（ａ）に示すように紙幣回収カセット１１を正面から見た際の一側方で、カセット内壁４３と、紙幣回収カセット１１の外周面となる外壁４５との間に設けた空間に配されている。
【００３４】
なお、上述した紙幣集積ステージ４０は図５（ａ）に示すように紙幣を集積する集積空間の外側に突出して遮光板４４を下側から支持するための突起部４０ａを有し、その突起部４０ａはカセット内壁４３を貫通して外壁４５に接触しない長さに形成される。
【００３５】
そのため、カセット内壁４３には、紙幣集積ステージ４０の突起部４０ａを貫通させると共に、紙幣集積ステージ４０の昇降の際に突起部４０ａとの接触を避けるための切り欠き部４３ａが設けられる。
【００３６】
図５（ｂ）には紙幣集積ステージ４０より手前側のカセット内壁４３を省略しているが、その省略したカセット内壁４３に形成した切り欠き部４３ａの位置を示しており、図５（ｂ）に示すように切り欠き部４３ａは突起部４０ａの幅よりも広い幅で、かつ上下方向の長さが紙幣集積ステージの昇降する範囲に応じた長さで形成される。よって突起部４０ａと切り欠き部４３ａとは接触することがない。
【００３７】
４７は回転軸であり、カセット内壁４３と外壁４５との間で伸長するように外壁４５に取り付けられ、遮光板４４を回転可能に支持する。
【００３８】
また回転軸４７は、図示しない上下に長い楕円状の溝に嵌まっており、これによって上下方向にスライド移動可能な状態で外壁４５に取り付けられ、また遮光板４４を図４（ｂ）に示す状態から矢印で示す反時計回りの方向に回動させ傾かせるように重心からずれた位置で遮光板４４に挿通している。
【００３９】
これによって、ホームポジションにある紙幣集積ステージ４０によって支持された状態の遮光板４４は、回転係止ストッパ４８によって回転軸４７を中心とした回転が係止される。そして紙幣集積ステージ４０が下降した際、回転軸４７が前記スライド部材によって下降する構造であることから、遮光板４４も紙幣集積ステージ４０と共に下降する。
【００４０】
上述した紙幣回収カセット１１の透孔５０ａは図４（ａ）に示すように外壁４５とカセット内壁４３における左上部に設け、透孔５０ｂは外壁４５とカセット内壁４３における略右中央部に設けている。
【００４１】
また、回転係止ストッパ４８よりも下方で透孔５０ｂの近傍には、下降した遮光板４４が光軸５０ｂを遮る位置に回動した状態を保つように支える係止部５２がカセット内壁４３と外壁４５間に取り付けられている。
【００４２】
この係止部５２は、例えば遮光板４４に設けた溝に嵌まる形状であって、係止部５２がその溝に嵌まり込むことで、透孔５０ｂを塞ぐ位置まで回動した遮光板４４を支持して固定する。
【００４３】
さらに遮光板４４が係止部５２によって支持された状態で、遮光板４４と紙幣集積ステージ４０とは、分離するように構成されているものとする。
【００４４】
このように紙幣回収カセット１１を構成したことにより、紙幣集積ステージ４０上に紙幣が無いときは、残留検知センサ１２の光軸が透孔５０ａ、５０ｂと、紙幣集積ステージ４０の開口とを通過することとなるが、紙幣集積ステージ４０に紙幣が集積しているが、集積している紙幣枚数が少なく、スプリング４１による押圧力よりも集積している紙幣の重さによる圧力が小さい場合、紙幣集積ステージ４０は下降せずスプリング４１によってホームポジションまで押し上げられた状態となるが、集積している紙幣が紙幣集積ステージ４０の開口を塞ぐので、残留検知センサ１２の発光部からの光軸が受光部に到達することが無い。そのため自動釣銭機１の制御部２０は紙幣回収カセット１１内に紙幣が集積していることを認識する。
【００４５】
次に集積している紙幣の重さによる圧力がスプリング４１の押圧力よりも大きい場合は、スプリング４１が撓んで紙幣集積ステージ４０が下降する。
【００４６】
遮光板４４は、紙幣集積ステージ４０と共に下降するようになり、下降することによって回転係止ストッパ４８に当接する箇所が徐々にずれ、それに伴って図４（ｂ）の矢印で示す反時計回りに回動する。
【００４７】
ここで、図６は遮光板が回動した様子を示す説明図であり、紙幣が集積したことでステージ４０が下降したときの遮光板４４の状態を示しており、ここではステージ４０上の紙幣を省略して示している。
【００４８】
さらに遮光板４４が下降することで、係止部５２が遮光板４４の溝に嵌まり込み、図６に示すように遮光板４４は透孔５０ｂを遮る向きのまま固定される。
【００４９】
そのため、残留検知センサ１２は受光部で光を受光しないことから、制御部２０は紙幣回収カセット１１内に紙幣が集積していることを認識する。
【００５０】
以上説明したように、本実施例では、紙幣集積ステージが下降すると、それに連動して遮光板が下降すると共に、透孔を塞ぐ位置まで回動して固定されるため、紙幣回収カセットの容量に依存せず、紙幣回収カセット内の紙幣の残留検知を実現できる。これによって１台の紙幣取扱装置としての紙幣入出金部に対して容量の異なる様々な紙幣回収カセットの装着が可能となり紙幣回収カセットの互換性を持たせることができ、自動釣銭機を設置する店舗側としては運用形態の自由度が増すという効果が得られる。
【００５１】
また、利用する紙幣回収カセットの大きさに合わせた配置の残留検知センサを有する紙幣取扱装置を内蔵する自動釣銭機を用意することが無くなるので、その分自動釣銭機を設置する店舗側としてはコストを低減することができる。
【００５２】
ここで、図７は透孔を通過する光の高さより紙幣上面の方が低いときの様子を示す説明図であり、紙幣が集積したことでステージが下降し、そのときの集積している紙幣上面の位置が透孔よりも下方となる場合があっても、遮光板４４が下降すると共に回動して透孔５０ｂを塞ぐので、遮光板４４を設けていない場合では残留検知センサの光がステージに集積する紙幣の上方を通過してしまい紙幣の残留を検知できないのに対し、本実施例では図７に示すように遮光板４４が透孔５０ｂを通過する光を遮るようになるので、確実に紙幣の残留を検知することができるという効果が得られる。
【００５３】
なお、上記実施例１においては、紙幣の集積していないステージ４０よりも下方に位置する透孔５０ｂが設けられている側に遮光板４４を配したが、遮光板４４を配する側はこれに限るものではなくステージ４０よりも上方に位置する透孔５０ａがある側に設けてもよく、その場合遮光板４４の形状は、上記実施例１の形状に限るものでなく、少なくともステージ４０がホームポジションにあるときに透孔５０ａを遮らないようにした形状であればよい。
【符号の説明】
【００５４】
１    自動釣銭機
２    硬貨入出金部
３    紙幣入出金部
４    硬貨入金口
５    硬貨出金口
６    硬貨リジェクト口
８    紙幣入出金口
９    紙幣鑑別部
１０ａ、１０ｂ  紙幣収納庫
１１  紙幣回収カセット
１２  残留検知センサ
１３  表示操作部
１５  ＰＯＳレジスタ
１６  レジスタ表示操作部
１７  レシート印字部
２０  制御部
２１  記憶部
２２  抜き取り検知センサ
２３  通信部
４０  紙幣集積ステージ
４０ａ  突起部
４１  スプリング
４３  カセット内壁
４３ａ  切り欠き部
４４  遮光板
４５  外壁
４７  回転軸
４８  回転係止ストッパ
５０ａ、５０ｂ  透孔
５２  係止部
【図１】
2010287134.tif 000003
【図２】
2010287134.tif 000004
【図３】
2010287134.tif 000005
【図４】
2010287134.tif 000006
【図５】
2010287134.tif 000007
【図６】
2010287134.tif 000008
【図７】
2010287134.tif 000009